(57)【要約】      （修正有）【課題】甲皮上面でＶ字状に開閉する開き部を有した靴について、外観を損なうことなく着脱の容易さと優れた緊締機能を両立できるようにする。【解決手段】履口前部から切り込んで形成されＶ字状に開閉する開き部１４に開放状態から閉じて閉止状態を維持する閉止手段を備えた靴であって、その閉止手段が、開き部１４の開き部材１４ａ，１４ｂの一方に配設されたレバー器具１５を有し他方にレバー器具１５の一端側から延出され先端を他端側に固定した弧状のワイヤ１４６を掛けて摺動させる摺動溝１６２ａを形成した薄板状の掛プレート１６を有して、そのレバー器具１５が基台１５０とその長手方向中央位置で基端側が軸支されたレバー１５１を有したものとして、そのレバー１５１をワイヤ１４６が最短に退入した閉止位置と最長に延出した開放位置との間で往復操作することで、開き部１４の開放・閉止を行う。【選択図】図４
2014136038.tif 000002
【特許請求の範囲】
【請求項１】
甲皮上面の履口前部から爪先側に切り込んで形成されＶ字状に開閉する開き部に開放状態から閉じて閉止状態を維持するための閉止手段を備えた靴において、
前記閉止手段は、前記開き部で左右に開閉する対の開き部材のうち、一方に長手方向が切り込み線に沿うように配設された横長のレバー器具を有し、他方に前記レバー器具の一端側から延出され先端を他端側に固定された弧状のワイヤを掛けて摺動させる摺動溝を厚さ方向の周面に形成してなる薄板状の掛プレートを有し、前記レバー器具は、一方の前記開き部材の表面に固定された横長の基台と、該基台の長手方向中央位置で基端側が軸支され前記長手方向に沿った面上で先端側を旋回動作される前記ワイヤを牽引操作するためのレバーとを有しており、該レバーを、その先端側が前記基台の一端側に近接して前記ワイヤを最短に退入させた閉止位置と、前記基台の他端側に近接して前記ワイヤを最長に延出させた開放位置との間で往復操作することにより、前記開き部の開放・閉止を行うものとされていることを特徴とした靴。
【請求項２】
前記レバー器具は、前記レバーを前記閉止位置で前記基台側に掛止・固定させるための掛止構造を有しており、前記レバーを閉止方向に所定レベル以上の押圧力で押し下げることで掛止・固定され、掛止状態から所定レベル以上の牽引力で持ち上げることで前記固定が解除される、ことを特徴とする請求項１に記載した靴。
【請求項３】
靴紐で緊締する紐靴であって、前記靴紐を用いた開き部の側方に並列して前記閉止手段を備えた開き部が設けられており、前記レバー器具を操作することで前記靴紐を緩めることなく着脱が行える、ことを特徴とする請求項１または２に記載した靴。
【請求項４】
前記レバーは、基端側が並列した２本脚とされて前記基台の短径方向に脚が開いた状態で軸支されており、且つ、その先端側の前記閉止位置と前記開放位置との間の旋回範囲が１８０度を超えるものとされ、前記レバーの長手方向中途位置に基端側を固定された前記ワイヤが、前記閉止位置にて前記２本の脚の間を通るものとされている、ことを特徴とする請求項１，２または３に記載した靴。
【請求項５】
前記基台は、一方の端部側にその外周面から内周側まで形成されたワイヤ挿通孔又はワイヤ挿通溝を有しており、前記レバーの中途位置に基端側を固定された前記ワイヤが前記ワイヤ挿通孔又は前記ワイヤ挿通溝を介して外側に延出されている、ことを特徴とする請求項１，２，３または４に記載した靴。
【請求項６】
前記掛プレートは、開き部材の内皮と外皮の間に挟まれた状態で固定され、平面視直線状の一辺が前記切り込み線に沿って配置されて該切り込み線を構成する前記開き部材の端縁面で前記ワイヤが挿入・延出されている、ことを特徴とする請求項１，２，３，４または５に記載した靴。
【発明の詳細な説明】
【技術分野】
【０００１】
本発明は着脱を容易にする靴に関し、殊に、甲皮上面の履口前部から爪先側に切り込んで形成されＶ字状に開いて着脱動作を容易化する開き部に、開き状態から閉じて閉止状態を維持するための閉止手段を備えた靴に関する。
【背景技術】
【０００２】
一般的な紐靴においては、足を出し入れする履口の前部から爪先側に切り込んで開閉可能にした開き部左右の開き部材を靴紐で交互に挿通して係合させる方式にて、履口及び甲皮上面側の緊締・開放を行うとともに装着時のフィット感を実現可能としている。しかし、靴紐を緊締・開放して行う着脱作業は手間を要するものであり、特に高齢者等の手指が自在に動きにくい者にとっては容易なものではない。一方、開き部にゴムベルトを渡して履口の内径を弾性的に拡開可能としたスリップオン式の靴も知られているが、この方式では適度な緊締によるフィット感が得られにくいという難点がある。
【０００３】
そこで、実開昭５８−１４７４０１号公報には、靴紐で緊締・開放される開き部を構成している左右の開き部材の一方（鳩目補強片）を、面状ファスナで甲皮側に止着してなるものとして、靴紐の操作を行うことなく履口の内径を縮小・拡大可能として誰でも容易に着脱できるものとしながら、適度な緊締状態を実現でさせる運動靴が提案されている。
【０００４】
また、スライドファスナでＶ字状に開閉される開き部を、靴紐による開き部に並列または甲皮上部に単独で設けた靴も、例えば特開２００３−７９４０４号公報に記載されているように周知であり、前述と同様に着脱の容易さと適度な緊締状態を実現可能している。しかしながら、このように面状ファスナやスライドファスナを開き部の閉止手段に用いた靴は、どうしても高齢者や手指の不自由な者が用いるものとしてのイメージが強いこともあり、デザイン性・ファッション性に欠けやすく、一般ユーザーの間では利便性に優れていても殆ど使用されていないのが実情であり、殊に、ビジネスシューズの分野においては前述のような閉止手段を設けたものは皆無といっても過言ではない。
【０００５】
これに対し、特開２００４−１６７３２号公報において、靴紐による開き部を構成する左右の開き部材の一方に巻き取り装置を設け、これで靴紐を挿通したリングを牽引してスライド移動させる方式の靴が提案されている。これにより、靴紐による緊締・開放機能が外観を損ないにくい巻き取り装置で容易に補助されるため、着脱の容易さを確保可能なものとなる。
【０００６】
しかしながら、その巻き取り装置は、構造が複雑であるために靴の製造コストの高騰を招きやすいことに加え、靴紐を挿通したリングの位置を僅かにスライドさせるだけのものであることから、開放時における履口の拡大幅が僅かであるため、着脱の容易さを充分に実現できないという難点がある。
【先行技術文献】
【特許文献】
【０００７】
【特許文献１】実開昭５８−１４７４０１号公報
【特許文献２】特開２００３−７９４０４号公報
【特許文献３】特開２００４−１６７３２号公報
【発明の概要】
【発明が解決しようとする課題】
【０００８】
本発明は、上記のような問題を解決しようとするものであり、甲皮上面の履口前部から爪先側に切り込まれてＶ字状に開閉する開き部を有した靴について、外観を損なうことなく着脱の容易さと優れた緊締機能を両立できるようにすることを課題とする。
【課題を解決するための手段】
【０００９】
そこで、本発明は、甲皮上面の履口前部から爪先側に切り込んで形成されＶ字状に開閉する開き部に開放状態から閉じて閉止状態を維持するための閉止手段を備えた靴において、その閉止手段は、前記開き部で左右に開閉する対の開き部材のうち、一方に長手方向が切り込み線に沿うように配設された横長のレバー器具を有し、他方にレバー器具の一端側から延出され先端を他端側に固定された弧状のワイヤを掛けて摺動させる摺動溝を厚さ方向の周面に形成してなる薄板状の掛プレートを有しており、前記レバー器具は、一方の開き部材の表面に固定された横長の基台と、その長手方向中央位置で基端側が軸支され長手方向に沿った面上で先端側を旋回動作される前記ワイヤを牽引するためのレバーを有しており、このレバーを、その先端側が前記基台の一端側に近接して前記ワイヤを最短に退入させた閉止位置と、前記基台の他端側に近接して前記ワイヤを最長に延出させた開放位置との間で往復操作することにより、前記開き部の開放・閉止を行うものとされている、ことを特徴とするものとした。
【００１０】
このように、Ｖ字状に開閉する開き部の一方の開き部材に、弧状に延出したワイヤの一端側を牽引するレバー器具を設け、他方の開き部材にそのワイヤを掛けて牽引・摺動させる摺動溝を備えた掛プレートを設けたことにより、レバーによる牽引で掛プレートが動滑車と同様に動作することになり、小さな力でも開き部を容易に閉止できるとともに開放操作も容易になるため、小さく目立ちにくいレバー器具を用いて靴の外観を損ないにくい状態としながら着脱の容易さと緊締機能を両立可能なものとなる。
【００１１】
また、この靴において、そのレバー器具は、レバーを前記閉止位置で基台側に掛止・固定させるための掛止構造を有しており、そのレバーを閉止方向に所定レベル以上の押圧力で押し下げることで掛止・固定され、掛止状態から所定レベル以上の牽引力で持ち上げることで前記固定が解除される、ことを特徴としたものとすれば、閉止状態の固定操作と解除操作が極めて容易なものとなる。
【００１２】
さらに、上述した靴が、紐靴で緊締される紐靴であって、靴紐を用いた開き部の側方に並列して前記閉止手段を備えた開き部が設けられており、前記レバー器具を操作することで靴紐を緩めることなく着脱が行えることを特徴としたものとすれば、靴紐で一度適度な緊締状態に調整しておけば毎回緊締状態を調整することなくレバー操作だけで着脱が完了するものとなり、殊に外観が重視される皮革製の紐靴において外観と利便性を両立可能なものとなる。
【００１３】
さらにまた、上述した靴において、前記レバーは、基端側が並列した２本脚とされて基台の短径方向に脚が開いた状態で軸支されており、且つ、その先端側の前記閉止位置と前記開放位置との間の旋回範囲が１８０度を超えるものとされ、レバーの長手方向中途位置に基端側を固定されたワイヤが、前記閉止位置にて前記２本の脚の間を通るものとされていることを特徴としたものとすれば、閉止位置で開き部を開く方向の力が加わってワイヤが外側に引かれた場合でも、レバーは閉止方向に付勢されるだけであるから、意図しない閉止状態の解除が生じにくいものとなる。
【００１４】
加えて、上述した靴において、そのレバー器具の基台は、一方の端部側にその外周面から内周側まで形成されたワイヤ挿通孔又はワイヤ挿通溝を有しており、レバーの中途位置に基端側を固定されたワイヤがそのワイヤ挿通孔又はワイヤ挿通溝を介して外側に延出されている、ことを特徴としたものとすれば、その挿通孔を介してレバー操作によるワイヤの牽引方向をスムースに変換しやすいものとなる。
【００１５】
また加えて、上述した靴において、その掛プレートは、開き部材の内皮と外皮の間に挟まれた状態で固定され、平面視直線状の一辺が前記切り込み線に沿って配置されて切り込み線を構成する前記開き部材の端縁面で前記ワイヤが挿入・延出されている、ことを特徴としたものすれば、掛プレートが外側から殆ど見えないことで外観を一層損ないにくいものとなり、且つ、密着した上下の甲皮により摺動溝に掛けたワイヤが外れにくいものとなる。
【発明の効果】
【００１６】
一方の開き部材にワイヤの一端側を牽引するレバー器具を設け他方の開き部材にワイヤを掛けて牽引・摺動させる摺動溝を有した薄板状の掛プレートを設けてなる本発明によると、外観を損なうことなく着脱の容易さと優れた緊締機能を両立できるものである。
【図面の簡単な説明】
【００１７】
【図１】本発明における実施の形態である靴の斜視図であって、（Ａ）は開き部を閉止した状態、（Ｂ）は開き部を開放した状態である。
【図２】（Ａ）は図１の靴の閉止手段を拡大した平面図、（Ｂ）は（Ａ）のＸ−Ｘ線に沿う断面形状を拡大して示した断面図である。
【図３】図２の閉止手段の動作を説明するための正面図であって、（Ａ）は開き部を開放した状態、（Ｂ）は開き部を閉止した状態である。
【図４】図１の靴の開き部の構造及び動作を説明するための拡大した部分側面図であって、（Ａ）は掛プレートの配設状態を示すために外皮の一部を切り欠いて示した開き部を開放した状態、（Ｂ）は開き部を閉止した状態である。
【発明を実施するための形態】
【００１８】
以下に、図面を参照しながら本発明を実施するための形態を説明する。尚、本発明において、ワイヤには複数の金属線で構成されたもののほか、これに樹脂加工を施したもの、及び高強度の合成樹脂糸又はその複数本を組成した紐として金属製のものと同様に使用可能なものも含む。
【００１９】
図１（Ａ）は、本発明における本実施の形態である着脱作業を容易にした靴１を示している。以下の実施の形態では皮革製の紐靴の場合を説明するものであるが、後述する閉止手段を設けたことにより靴紐１００を解いたり結んだりすることなく容易に着脱できるようにした点を特徴としている。
【００２０】
即ち、この靴１は、甲皮２上面の履口１０から爪先側に切り込んで形成された左右の開き部材１２ａ，１２ｂが、靴紐１００で係合されてなる開き部１２を備えた皮革製の紐靴であるが、この開き部１２に並列して第２の開き部１４が設けられている。この開き部１４は、甲皮２上面の履口１０前部から前記開き部１２に平行して爪先側に切り込まれた状態に形成されてＶ字状に開閉して着脱動作を容易化するためのものであり、この開き部１４にその開放状態から閉じて閉止状態を維持するための閉止手段を備えている。
【００２１】
この閉止手段は、開き部１４で左右に開閉する甲皮部分である対の開き部材１４ａ，１４ｂのうち、一方の開き部材１４ａに長手方向が切り込み線１４０に沿うように配設された金属製で横長のレバー器具１５を有し、他方の開き部材１４ｂ（実際には開き部材１２ｂから連続している）にレバー器具１５の一端側から甲皮面に沿う面上で弧状に延出され先端を他端側に固定されたワイヤ１４６を掛けるための摺動溝１６２ａを有した薄板状の掛プレート１６（図２参照）を有してなるものであり、レバー器具１５を操作することで図１（Ｂ）に示す状態のように開き部１４を開放できるようになっている。
【００２２】
図２（Ａ）は、上述した閉止手段を構成するレバー器具１５と掛プレート１６の詳細を示すものであり、（Ｂ）は（Ａ）のＸ−Ｘ線に沿う掛プレート１６の断面図をさらに拡大して示している。このレバー器具１５は、一方の開き部材１４ａの表面に固定された蒲鉾板状の金具である基台１５０と、その上面長手方向中央位置で基端側が軸支され前記長手方向に沿って延設されるとともに前記長手方向に沿う面上で先端側を旋回可能に設けられた短冊状の部品であるワイヤ１４６を牽引操作するためのレバー１５１を有してなるものである。
【００２３】
その基台１５０は、その長手方向に沿う中央部分に一定の深さの溝１５２が形成されており、その溝１５２の両端部側が開放されているとともに、その底面の両端寄りには甲皮表面に固定するための孔である固定孔１５２ａ，１５２ｂが形成されている。そのレバー１５１は、軸支された基端から長手方向約３分の２の位置までが並列した２本脚による脚部１５１ｂとされ、両脚を基台１５０の短径方向に開いた状態でその基端側外面に突出した軸１５１ｃ，１５１ｄを、基台１５０に形成した軸孔１５３ａ，１５３ｂに内側から各々挿入して軸支されており、その先端側で幅広とされた把持部１５１ａを除く部分が、閉止位置と開放位置の両方で溝１５２内に没入するようになっている。
【００２４】
また、基台１５０は、その掛プレート１６に対向する側の両端部外周面から溝１５２の内側の中心位置までワイヤ挿通溝１５２ｃ，１５２ｄが形成されて内外連通しており、基端側をレバー１５１の中途位置の固定溝１５１ｅに固定されたワイヤ１４６が、溝１５２を経由しながら一方のワイヤ挿通溝１５２ｃを通って外側に延出されており、その先端側がループを描くようにして他方のワイヤ挿通溝１５２ｄに挿入されて固定されている。
【００２５】
尚、ワイヤ挿通溝１５２ｃ，１５２ｄの代わりに挿通孔を穿設しても実施することができ、また、ワイヤ１４６端部側の固定は、ワイヤ１４６が金属線を組成したものである場合は、これを溝内又は孔内にハンダ付けすればよく、ワイヤ１４６が合成樹脂糸からなるものの場合は、挿通した先端側に結び目を作成し接着剤で固着する等すればよい。また、ワイヤ挿通溝１５２ｃ,１５２ｄの開口端側を面取りで拡開しておけば、挿通操作及び固定操作が容易なものとなる。
【００２６】
一方、掛プレート１６は、金属又は樹脂製の平面視略長方形状で薄板状の部品であるが、厚さ方向に形成された平面視弧状の周面１６２を有してなる掛部１６０とその底面の所定範囲をヒレ状に薄く広げてなるヒレ状部１６１からなる。その掛部１６０の周面１６２は、平面視で直線状の部分と弧状の部分を有しており、その弧状に形成した部分に所定深さの摺動溝１６２ａが形成されており、これにワイヤ１４６が掛けられて後述するレバー操作によりこれが摺動溝１６２ａ内で摺動するようになっている。
【００２７】
レバー器具１５の構造及び機能を説明するための図２の正面図である図３を参照して、その基台１５０は、これを配置した甲皮部分である開き部材１４ａの裏側から、止め金具１７の両端側を折り曲げて起立させた爪１７１，１７２を貫通させ、その先端側を固定孔１５２ａ，１５２ｂを挿通して折り曲げることにより開き部材１４ａ上面に固定されている。
【００２８】
また、このレバー器具１５は、レバー１５１を閉止位置と開放位置で基台１５０側に掛止・固定させるための掛止構造を有している。即ち、図３（Ｂ）に示すように、レバー１５１の旋回範囲は約１９０度であるが、円中拡大部分図に示すように、基台１５０の短径側周面は上面に対し鋭角に形成されているため、これにレバー１５１の把持部１５１ａの左右に張り出した端縁側が引っ掛かるようになっている。
【００２９】
そのため、レバー１５１が基台１５０に対する平行な角度位置を超えてから閉止位置又は開放位置に向かって所定レベル以上の押圧力でさらに押し下げることで掛止・固定され、その位置から所定レベル以上の牽引力で持ち上げることにより、前記固定が解除されるようになっており、把持部１５１ａを指で把持してレバー１５１を旋回操作するだけで、閉止・開放操作とその固定・解除が容易に行えるものとしている。
【００３０】
例えば、固定された開放位置から、図３（Ａ）に示すように把持部１５１ａを持ち上げることで固定が解除され、把持部１５１ａをさらに旋回操作して図３（Ｂ）に示す閉止位置まで押し込むことにより、把持部１５１ａが掛止構造により掛止・固定される。このとき、ワイヤ１４６は脚部１５１ｂの２本の脚の間を通ることから、ワイヤ１４６が開放方向に牽引された場合でもレバー１５１は下向きに付勢されるのみであり、使用中に意図しない固定解除が発生しにくいようになっている。尚、図のようにレバー１５１の旋回範囲が１８０°を超える構成とした場合は、前述のような掛止構造がなくても閉止位置における固定力はある程度発揮されるものとなる。
【００３１】
図４（Ａ）は、靴１を脱いだ場合の開き部１４の状態を示している。本実施の形態による靴１は、開き部１４を構成する左右の開き部材１４ａ,１４ｂが内皮、中皮、外皮の３層構造となっており、掛プレート１６がその形状通りに中皮を切り欠いてこれに置き換えて挟装され、平面視直線状の一辺が閉止状態における切り込み線１４０に沿う位置で、その上面と底面を接着剤又は両面テープで外皮及び内皮に接着して固定されているため、図ではその外皮部分を切り欠いて挟装した掛プレート１６が見えるようにしてある。
【００３２】
この靴１を脱ぐ場合は、レバー器具１５のレバー１５１を開放側に旋回させて開き部１４の閉止状態を解除し、この状態で靴１を脱ぐ動作により開き部１４を開くことにより、履口１０の内周が拡開しながら甲皮２上面側が持ち上がるため、これに並列した開き部１２の靴紐１００を解くことなく容易に脱ぐことができる。このとき、図のようにレバー１５１を前述の掛止構造で開放位置にて固定しておけば、レバー１５１の先端側が側方に突出して周囲に引っ掛かるようなトラブルを回避することができる。
【００３３】
一方、この開放状態から靴１を履く場合は、履口１０は拡開しているため靴紐１００を解くことなく容易に足を挿入することができ、足を挿入してから図４（Ｂ）に示すようにレバー１５１を反対側に旋回させ、開き部材１４ｂの端縁線に一致した掛プレート１６の直線状の外周面部分がレバー器具１５の側面にほぼ密着する位置まで開き部１４を閉じて、レバー１５１先端側を前述の掛止構造で掛止・固定することにより、意図せぬ解除・開放が生じることなく緊締状態を維持することができる。
【００３４】
本実施の形態おいては、レバー１５１の閉止操作中、図４（Ａ）に示すようにワイヤ１４６が平面視弧状の摺動溝１６２ａ内を自在に摺動するようになっていることから、掛プレート１６が動滑車と同等の機能を発揮することになるため、レバー１５１を操作する力が小さくても、開き部１４を大きな力で容易に閉めることができる。
【００３５】
尚、図４（Ｂ）に示す開き部１４を閉じた状態にて靴紐１００で緊締状態をあらかじめ調整しておくことにより、所望する開き部１２の緊締状態をいつでもすぐに実現できるようになり、靴１を履くたびに靴紐１００を用いた調整作業を行うことなく、優れたフィット感が容易に得られるものである。また、上述した実施の形態においては、本発明が皮革製の紐靴である場合を説明したが、本発明はこれに限定されるものではなく、布製の紐靴や靴紐を用いないスリップオン式の靴にも同様に適用することができ、同様の効果を発揮するものである。
【００３６】
以上、述べたように、甲皮上面の履口前部から爪先側に切り込まれてＶ字状に開閉する開き部を有した靴について、本発明により、外観を損なうことなく着脱の容易さと優れた緊締機能を両立できるようになった。
【符号の説明】
【００３７】
１  靴、２  甲皮、１０  履口、１２，１４  開き部、１２ａ，１２ｂ，１４ａ，１４ｂ  開き部材、１５  レバー器具、１６  掛プレート、１００  靴紐、１４０  切り込み線、１４６  ワイヤ、１５０  基台、１５１  レバー、１５１ａ  把持部、１５１ｂ  脚部、１５２  溝、１５２ｃ，１５２ｄ  挿通溝、１６０  掛部、１６２  周面、１６２ａ  摺動溝
【図１】
2014136038.tif 000003
【図２】
2014136038.tif 000004
【図３】
2014136038.tif 000005
【図４】
2014136038.tif 000006